(57)【要約】【課題】積層体の加熱および加圧によって燃料電池セルを作製する際に、積層体のガスケットが配置されている領域の厚みが他の領域よりも局所的に厚くなるのを抑制する燃料電池スタックの製造方法を提供する。【解決手段】外周に樹脂枠５０を配置したＭＥＧＡ３０をアノード側セパレータ４１、カソード側セパレータ４２で挟持して積層体を得る積層体取得工程（ステップＳ１〜Ｓ４）と、積層体を加熱し、ガスケット６０が配置される領域以外の領域を加圧して燃料電池セル２０を得るセル取得工程（ステップＳ５）と、燃料電池セル２０を積層して燃料電池スタック１０を得るスタック取得工程（ステップＳ６）と、を含み、積層体取得工程において、アノード側セパレータ４１のガスケット６０よりも側方の位置に貫通孔４１ｂを形成し、アノード側セパレータ４１のＭＥＧＡ３０と反対側の面にガスケット６０を配置する。【選択図】図１
2019153470.tif 000002
【特許請求の範囲】
【請求項１】
外周に樹脂枠を配置した膜電極ガス拡散層接合体を一対のセパレータで挟持して積層体を得る積層体取得工程と、
前記積層体を加熱し、ガスケットが配置される領域以外の領域を加圧して燃料電池セルを得るセル取得工程と、
前記燃料電池セルを積層して燃料電池スタックを得るスタック取得工程と、を含み、
前記積層体取得工程において、前記セパレータの前記ガスケットよりも側方の位置に貫通孔を形成し、前記セパレータの前記膜電極ガス拡散層接合体と反対側の面に前記ガスケットを配置することを特徴とする燃料電池スタックの製造方法。
【発明の詳細な説明】
【技術分野】
【０００１】
本発明は、ガスケットを有するセパレータを備えた燃料電池スタックの製造方法に関する。
【背景技術】
【０００２】
特許文献１には、膜電極ガス拡散層接合体の上にセパレータと接着するための接着層を備えた樹脂枠（シール部材２０Ａ）を配置し、樹脂枠とセパレータが接着されている燃料電池セルの構造が示されている。このセパレータは、樹脂枠と反対側の表面にガスケット（ガスケット３４）が取り付けられている。
【先行技術文献】
【特許文献】
【０００３】
【特許文献１】特開２０１３−２５１２５３号公報
【発明の概要】
【発明が解決しようとする課題】
【０００４】
特許文献１に記載の燃料電池セルは、セパレータを含む積層体により構成されており、燃料電池セルは次の工程を経て作製される。なお、この燃料電池セル１は、図５（ａ）に示すように、膜電極接合体２と、アノード側ガス拡散層３と、カソード側ガス拡散層４と、アノード側ガス拡散層３に接合されたアノード側セパレータ５とカソード側ガス拡散層４に接合されたカソード側セパレータ６と、コア層７ａと接着層７ｂ、７ｃとを備えた樹脂枠７と、ガスケット８とにより構成される。
【０００５】
燃料電池セル１は、まず、膜電極ガス拡散層接合体９の周囲に樹脂枠７が配置される。次いで、膜電極ガス拡散層接合体９および樹脂枠７の一方の面に、ガスケット８を接着したアノード側セパレータ５が配置され、膜電極ガス拡散層接合体９および樹脂枠７の他方の面に、カソード側セパレータ６が配置される。これにより、膜電極ガス拡散層接合体９、樹脂枠７、ガスケット８を接着したアノード側セパレータ５およびカソード側セパレータ６の積層体が形成される。次いで、形成された積層体が加熱され、図５（ｂ）に示すように、矢印ａ、ｂ方向に加圧され、積層体の各構成要素が接着されて燃料電池セル１が作製される。
【０００６】
積層体を加熱して加圧する際、図５（ｂ）に示すように、積層体のガスケット８が配置されている領域を加圧する加圧力は、積層体のガスケット８が配置されている領域以外の他の領域を加圧する加圧力よりも小さくなる。したがって、樹脂枠７が加熱により溶融して軟化すると、矢印ｃで示すように、樹脂枠７の樹脂がガスケット８の直下に流れ込み易くなる。
【０００７】
樹脂枠７の樹脂がガスケット８の直下に流れ込むと、図５（ｃ）に示すように、積層体のガスケット８が配置されている領域の厚みが、他の領域よりも局所的に厚くなる。したがって、ガスケット８のアノード側セパレータ５の露出面からの高さが増大し、図５（ｄ）に示すように、燃料電池セル１を積層した際に、ガスケット８が隣接する燃料電池セル１との間で大きく変形し、座屈したり剥がれたりしてセル間のシール性が低下するおそれがあるという問題がある。
【０００８】
本発明は、このような問題を解決するためになされたもので、積層体の加熱および加圧によって燃料電池セルを作製する際に、積層体のガスケットが配置されている領域の厚みが他の領域よりも局所的に厚くなるのを抑制する燃料電池スタックの製造方法を提供することを課題とする。
【課題を解決するための手段】
【０００９】
本発明に係る燃料電池スタックの製造方法は、外周に樹脂枠を配置した膜電極ガス拡散層接合体を一対のセパレータで挟持して積層体を得る積層体取得工程と、前記積層体を加熱し、ガスケットが配置される領域以外の領域を加圧して燃料電池セルを得るセル取得工程と、前記燃料電池セルを積層して燃料電池スタックを得るスタック取得工程と、を含み、前記積層体取得工程において、前記セパレータの前記ガスケットよりも側方の位置に貫通孔を形成し、前記セパレータの前記膜電極ガス拡散層接合体と反対側の面に前記ガスケットを配置することを特徴とする。
【００１０】
本発明に係る燃料電池スタックの製造方法は、積層体取得工程、セル取得工程およびスタック取得工程を含み、積層体取得工程において、セパレータのガスケットよりも側方の位置に貫通孔を形成し、セパレータの膜電極ガス拡散層接合体と反対側の面にガスケットを配置するように構成されている。本発明によれば、積層体取得工程において、セパレータのガスケットよりも側方の位置に貫通孔が形成されるので、セル取得工程において積層体の加熱および加圧が行われる際に、樹脂枠を構成する樹脂の一部を貫通孔に流入させることができる。したがって、樹脂枠の樹脂を貫通孔から積層体の外部に逃がすことができ、樹脂がガスケットの直下に流れ込むのを防ぎ、積層体のガスケットの直下の厚みが局所的に厚くなるのを抑制することができる。
【発明の効果】
【００１１】
本発明によれば、積層体の加熱および加圧によって燃料電池セルを作製する際に、積層体のガスケットの直下の厚みが局所的に厚くなるのを抑制することができる。
【図面の簡単な説明】
【００１２】
【図１】本発明の実施形態に係る燃料電池スタックの製造方法により作製される燃料電池スタックの図であり、図１（ａ）は、燃料電池セルにより構成される燃料電池スタックの平面図を示し、図１（ｂ）は、図１（ａ）のＡ−Ａで切断し拡大した部分断面図を示し、図１（ｃ）は、アノード側セパレータのガスケット部分を拡大した平面図を示す。
【図２】本発明の実施形態に係る燃料電池スタックの製造方法を示す工程図。
【図３】本発明の実施形態に係る燃料電池スタックの製造方法における工程を説明する説明図であり、図３（ａ）は、アノード側セパレータのガスケット部分の断面図で、アノード側セパレータを加圧する状態を示し、図３（ｂ）は、アノード側セパレータの加圧途中の状態を示し、図３（ｃ）は、アノード側セパレータの加圧が終了した状態を示す。
【図４】本発明の実施形態に係る燃料電池スタックの製造方法により作製される燃料電池セルの説明図であり、図４（ａ）は、燃料電池セルの実施例および比較例のガスケット直下のセル厚みの表を示し、図４（ｂ）は、実施例のガスケット直下のセル厚みを示し、図４（ｃ）は、比較例のガスケット直下のセル厚みを示す。
【図５】従来の燃料電池スタックの製造方法により作製される燃料電池セルの図であり、図５（ａ）は、燃料電池セルの部分断面図を示し、図５（ｂ）は、セパレータのガスケット部分を加圧する状態を示し、図５（ｃ）は、セパレータのガスケット部分の加圧が終了した状態を示し、図５（ｄ）は、燃料電池セル同士を積層した状態を示す。
【発明を実施するための形態】
【００１３】
本発明に係る燃料電池スタックの製造方法を適用した実施形態に係る燃料電池スタック１０の製造方法について図面を参照して説明する。
【００１４】
まず、燃料電池スタック１０を構成する燃料電池セル２０の構成について説明する。燃料電池セル２０は、図１（ａ）、図１（ｂ）に示すように、膜電極ガス拡散層接合体（ＭＥＧＡ：Membrane Electrode Gas diffusion layer Assembly、以下ＭＥＧＡという。）３０と、セパレータ４０と、樹脂枠５０と、ガスケット６０とにより構成されている。
【００１５】
ＭＥＧＡ３０は、膜電極接合体３１と、アノード側ガス拡散層３２と、カソード側ガス拡散層３３とにより構成されている。膜電極接合体３１は、図示しない電解質膜、アノード触媒層およびカソード触媒層の接合体で構成されている。電解質膜は、パーフルオロスルホン酸（ＰＦＳＡ）アイオノマーなどの固体高分子材料である高分子電解質樹脂で形成されており、イオン伝導性を有する高分子膜を電解質とするイオン交換膜からなる。電解質膜は、電子および気体の流通を阻止するとともに、プロトンをアノード触媒層からカソード触媒層に移動させる機能を有している。
【００１６】
アノード触媒層は、白金や白金合金などの触媒を担持した導電性の担体からなり、例えば、触媒担持カーボン粒子などのカーボン粒子を、プロトン伝導性を有するアイオノマーで被覆して形成された電極触媒層からなる。なお、アイオノマーは、電解質膜と同質のフッ素系樹脂などの固体高分子材料である高分子電解質樹脂からなり、その有するイオン交換基によりプロトン伝導性を有する。アノード触媒層は、水素ガス（Ｈ２）をプロトンと電子に分解する機能を有している。カソード触媒層は、アノード触媒層と同様の材料で形成されているが、アノード触媒層と異なり、プロトンと電子と酸素から水を生成する機能を有している。
【００１７】
アノード側ガス拡散層３２は、ガス透過性および導電性を有する材料、例えば、カーボンペーパーなどの炭素繊維や黒鉛繊維などの多孔質の繊維基材で形成されている。アノード側ガス拡散層３２は、アノード触媒層の外側に接合されており、燃料ガスとしての水素ガスを拡散させて均一にし、アノード触媒層に行き渡らせる機能を有している。
【００１８】
カソード側ガス拡散層３３は、アノード側ガス拡散層３２と同様に、ガス透過性および導電性を有する材料、例えば、カーボンペーパーなどの炭素繊維や黒鉛繊維などの多孔質の繊維基材で形成されている。カソード側ガス拡散層３３は、カソノード触媒層の外側に接合されており、酸化剤ガスとしての空気を拡散させて均一にし、カソード触媒層に行き渡らせる機能を有している。
【００１９】
セパレータ４０は、アノード側セパレータ４１と、カソード側セパレータ４２とにより構成される。アノード側セパレータ４１とカソード側セパレータ４２は、外周に樹脂枠５０を配置した膜電極ガス拡散層接合体を挟持するものである。アノード側セパレータ４１は、鉄鋼板、ステンレス鋼板およびアルミニウム板などの金属板で形成されている。なお、本実施形態のアノード側セパレータ４１およびカソード側セパレータ４２により構成されるセパレータ４０は、本発明に係る燃料電池スタックの製造方法における一対のセパレータに対応する。
【００２０】
アノード側セパレータ４１は、ＭＥＧＡ３０のアノード側ガス拡散層３２に接合されており、アノード側ガス拡散層３２の表面に沿って燃料ガスとしての水素を流す燃料ガス流路４１ａが形成されている。
【００２１】
アノード側セパレータ４１には、図１（ａ）、図１（ｂ）に示すように、複数の貫通孔４１ｂが形成されている。複数の貫通孔４１ｂは、ガスケット６０が配置される領域以外の領域に設けられており、アノード側セパレータ４１のガスケット６０よりも側方の位置にガスケット６０に沿って設けられている。本実施形態では、複数の貫通孔４１ｂは、ガスケット６０の両脇、つまり、ガスケット６０よりも外周側の位置と内周側の位置に分かれてそれぞれ設けられている。しかし、ガスケット６０の片脇、つまり、ガスケット６０よりも外周側の位置と内周側の位置のいずれか一方に設けてもよい。
【００２２】
複数の貫通孔４１ｂは、積層体を加熱して加圧した際に、樹脂枠５０を構成する樹脂の一部を流入させて、積層体の外部に逃がすことができる大きさとピッチ間隔で設けられている。貫通孔４１ｂは、具体的には、図１（ｃ）に示す直径ｄ（ｍｍ）が、０．１ｍｍ〜１ｍｍ程度で形成されることが好ましい。直径ｄが０．１ｍｍよりも小さいと、燃料電池セル２０を構成する積層体を加熱し加圧する際に、溶融樹脂が通過し難いことがあり、直径ｄが１ｍｍよりも大きいと、溶融樹脂の通過量が増加し、樹脂枠５０の厚みに悪影響を及ぼすことがある。
【００２３】
また、貫通孔４１ｂは、図１（ｃ）に示すピッチ間隔ｐが１ｍｍ〜５ｍｍ程度で形成されることが好ましい。ピッチ間隔ｐが１ｍｍよりも小さいと、貫通孔４１ｂの個数が増加し、加工に手間が掛かりアノード側セパレータ４１の機械的強度が低下するおそれがある。ピッチ間隔ｐが５ｍｍよりも大きいと、貫通孔４１ｂの個数が減少し、溶融樹脂の通過量が減少することがある。
【００２４】
カソード側セパレータ４２は、アノード側セパレータ４１と同様、金属板で形成されている。カソード側セパレータ４２は、ＭＥＧＡ３０のカソード側ガス拡散層３３に接合されており、カソード側ガス拡散層３３の表面に沿って酸化剤ガスとしての空気を流す酸化剤ガス流路４２ａが形成されている。
【００２５】
樹脂枠５０は、コア層５０ａと、接着層５０ｂ、５０ｃとを有する、いわゆる３層構造の樹脂枠からなり、枠状に形成されている。コア層５０ａは、ポリエチレンナフタレート（ＰＥＮ）やポリプロピレン（ＰＰ）などの熱可塑性樹脂によって形成されており、接着層５０ｂ、５０ｃよりも比較的に硬い特性を有している。接着層５０ｂ、５０ｃも、熱可塑性樹脂によって形成されており、アノード側セパレータ４１、カソード側セパレータ４２と接着してシール性を確保するために他の物質との接着性が高い特性を有している。
【００２６】
樹脂枠５０の内側の縁部には、ＭＥＧＡ３０が接合されている。また、樹脂枠５０の一方の面にはアノード側セパレータ４１が接着され、他方の面にはカソード側セパレータ４２が接着されている。樹脂枠５０は、燃料極の水素ガス（Ｈ２）や空気極の酸素ガス（Ｏ２）が、微量ながら電解質膜を通過してしまうという、いわゆるクロスリークや触媒電極同士の電気的短絡を防ぐための機能を有している。
【００２７】
ガスケット６０は、図１（ａ）に示すように、アノード側セパレータ４１の露出する表面側に接着されている。ガスケット６０は、ゴムや熱可塑性エラストマーなどの弾性材料で形成されており、燃料電池セル２０を積層して燃料電池スタック１０を形成する際に、隣り合う２つのアノード側セパレータ４１とカソード側セパレータ４２との間で、密着し、反応ガスや冷却媒体の外部への漏れ出しを防止する機能を有している。
【００２８】
次いで、燃料電池セル２０により構成される燃料電池スタック１０の製造方法について、図面を参照して説明する。
【００２９】
燃料電池スタック１０の製造方法は、図２に示すように、積層体取得工程と、セル取得工程と、スタック取得工程とを含んで構成されている。積層体取得工程は、セパレータ形成工程と、ガスケット配置工程と、樹脂枠配置工程と、積層工程とを含んで構成されている。各工程は、順に行われ、各工程を経て燃料電池スタック１０が作製される。
【００３０】
セパレータ形成工程においては、アノード側セパレータ４１の形状に適合するようアノード側セパレータ４１の基材のカットが行われ、カットされた基材に対してプレス成形がなされる。このプレス成形により、図１（ａ）、図１（ｂ）に示す燃料ガス流路４１ａおよび複数の貫通孔４１ｂを有する凹凸形状のアノード側セパレータ４１が形成される。カソード側セパレータ４２も、アノード側セパレータ４１と同様に形成される（ステップＳ１）。
【００３１】
ガスケット配置工程においては、図１（ａ）、図１（ｂ）に示すように、アノード側セパレータ４１のＭＥＧＡ３０と反対側の面に、貫通孔４１ｂが周囲に位置するようにガスケット６０が配置され、アノード側セパレータ４１にガスケット６０が接着される（ステップＳ２）。なお、このガスケット配置工程（ステップＳ２）は、後述するセル取得工程（ステップＳ５）の後に行うようにしてもよい。
【００３２】
樹脂枠配置工程においては、図１（ｂ）に示すように、ＭＥＧＡ３０の外周部分に樹脂枠５０が配置され、樹脂枠５０の接着層５０ｃを介してＭＥＧＡ３０の外周部分と樹脂枠５０とが接着される（ステップＳ３）。
【００３３】
積層工程においては、カソード側セパレータ４２、樹脂枠５０が接着されたＭＥＧＡ３０、ガスケット６０が接着されたアノード側セパレータ４１の順にそれぞれ積層され積層体が形成される（ステップＳ４）。
【００３４】
セル取得工程においては、積層工程において形成された積層体を加熱し、厚さ方向に加圧する作業が行われる。積層体は、ガスケット６０が配置される領域以外の領域が加圧される。本実施形態では、ガスケット６０に沿ってガスケット６０の両脇に延在する領域（シールライン）が、図３（ａ）に示すように矢印方向に加圧される。加熱により樹脂枠５０が溶融し、加圧により樹脂枠５０の溶融樹脂の一部を、図３（ｂ）に示すように、複数の貫通孔４１ｂに流入させることができる。したがって、樹脂枠５０の溶融した樹脂を複数の貫通孔４１ｂから積層体の外部に逃がすことができ、溶融した樹脂がガスケット６０の直下に流れ込むのを防ぎ、積層体のガスケット６０の直下の厚みが局所的に厚くなるのを抑制することができる。
【００３５】
樹脂枠５０の溶融樹脂の一部は、複数の貫通孔４１ｂからアノード側セパレータ４１の露出面側に膨れ出て、ガスケット６０の側面に接触し、ガスケット６０をセパレータ４１に拘束し、ガスケット６０がセパレータ４１から剥がれるのを抑制する。そして、図３（ｃ）に示すように加圧が終了するとセルが得られる（ステップＳ５）。
【００３６】
スタック取得工程においては、燃料電池セル２０が複数積層されたスタックが形成され、積層された複数の燃料電池セル２０同士は電気的に接続される（ステップＳ６）。具体的には、導電性を有する集電板が、燃料電池セル２０の積層方向におけるスタックの両端外側に配置され、集電板はスタックと電気的に接続される。集電板の外側に、スタックを挟み込み集電板と絶縁される一対のエンドプレートが配置され、一対のエンドプレートはスタックの回りを覆う側板によって締結されて、スタックが保持される。
【００３７】
さらに、スタックからの電力を取り出す出力端子が、エンドプレートから突出して設けられ、出力端子は、集電板と電気的に接続される。また、エンドプレートと集電板との間には、スペーサが配置され、一対のエンドプレートが側板によって締結された際にスタックに対して積層方向から加わる荷重が、スペーサの厚みによって調整される。
【００３８】
一対のエンドプレートには、スタックに燃料ガスを供給する供給口、スタック内を通った燃料ガスが排出される排出口、スタックに酸化剤ガスを供給する供給口、スタック内を通過した酸化剤ガスが排出される排出口、スタックに冷却流体を供給する供給口およびスタック内を通過した冷却流体が排出される排出口がそれぞれ設けられている。
【００３９】
スタック取得工程においては、複数の燃料電池セル２０で構成されるスタック、集電板、一対のエンドプレート、側板、出力端子およびスペーサによって構成されるスタック化が行われ、燃料電池スタック１０が作製される。作製された燃料電池スタック１０は、発電検査工程などの次工程に送られる。
【００４０】
本実施形態に係る燃料電池スタック１０の製造方法により作製されるアノード側セパレータ４１の貫通孔４１ｂの燃料電池セル２０における効果について、実施例に係る燃料電池セル２０および比較例に係る従来の燃料電池セルを作製して検証した。
【００４１】
実施例に係るアノード側セパレータ４１の貫通孔４１ｂについて、直径ｄを０．５ｍｍ、ピッチ間隔ｐを５ｍｍとしてアノード側セパレータ４１を作製し、燃料電池セル２０を作製した。
【００４２】
これに対して、比較例に係る貫通孔の無いアノード側セパレータを作製し、燃料電池セルを実施形態の燃料電池セル２０と同様にして作製した。なお、実施例に係るアノード側セパレータ４１と比較例に係るアノード側セパレータとは、貫通孔４１ｂの有無が異なるだけで、他の形状、大きさ、材質および構造は同一のもので作製した。また、実施形態の燃料電池セル２０の製造方法と、比較例に係る従来の燃料電池セルの製造方法とは、加熱や加圧などの条件も同一の条件で行った。
【００４３】
アノード側セパレータ４１の貫通孔４１ｂの燃料電池セル２０における効果については、図４（ａ）、図４（ｂ）、図４（ｃ）に示すように、ガスケット下のセルの厚みの大小で比較した。ガスケット下のセルの厚みは、規格幅が、規格中心値を１００とした場合、８７〜１０９となっている。
【００４４】
実施例に係る燃料電池セル２０のガスケット下のセルの厚みは、図４（ａ）に示すように、９９となり、規格中心値１００よりも小さくなり、アノード側セパレータ４１の貫通孔４１ｂはガスケット下のセルの厚みを増大させない効果があることが確認された。これに対して、比較例に係る従来の燃料電池セルのガスケット下のセルの厚みは、１１０となり、規格幅を超えていることが分かった。したがって、比較例に係る従来の燃料電池セルの製造方法では、ガスケットが座屈したり剥がれたりするおそれがあることが確認された。
【００４５】
以上のように構成された本実施形態に係る燃料電池スタック１０の製造方法の効果について説明する。
【００４６】
燃料電池スタック１０の製造方法は、積層体取得工程（ステップＳ１〜Ｓ４）、セル取得工程（ステップＳ５）およびスタック取得工程（ステップＳ６）を含んで構成されている。さらに、積層体取得工程において、アノード側セパレータ４１のガスケット６０の外周部分に複数の貫通孔４１ｂを形成し、アノード側セパレータ４１のＭＥＧＡ３０と反対側の面にガスケット６０を配置するように構成されている。
【００４７】
この構成により、積層体取得工程において、アノード側セパレータ４１のガスケット６０が配置される位置よりも側方の位置に貫通孔４１ｂが形成されるので、セル取得工程において、積層体の加熱および加圧が行われる際に、加圧により樹脂枠５０の溶融樹脂の一部が貫通孔４１ｂに流入する。その結果、アノード側セパレータ４１のガスケット部分に加わる圧力が低減され、アノード側セパレータ４１のガスケット部分は変形しないという効果が得られる。
【００４８】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００４９】
１０・・・燃料電池スタック、２０・・・燃料電池セル、３０・・・ＭＥＧＡ、３１・・・膜電極接合体、３２・・・アノード側ガス拡散層、３３・・・カソード側ガス拡散層、４０・・・セパレータ、４１・・・アノード側セパレータ、４１ａ・・・燃料ガス流路、４１ｂ・・・貫通孔、４２・・・カソード側セパレータ、４２ａ・・・酸化剤ガス流路、５０・・・樹脂枠、５０ａ・・・コア層、５０ｂ，５０ｃ・・・接着層、６０・・・ガスケット
【図１】
2019153470.tif 000003
【図２】
2019153470.tif 000004
【図３】
2019153470.tif 000005
【図４】
2019153470.tif 000006
【図５】
2019153470.tif 000007